(57)【要約】【課題】回転電機のステータにおいて、互いに隣接して接合端部の間の電気的絶縁性を確保し、かつコイルエンド部を小型化することである。【解決手段】回転電機のステータ１０は、バックヨーク１４、バックヨークから内周側に突き出す複数のティース１６、及び、隣接するティース１６間の空間である複数のスロット１８を含むステータコア１２を備える。また、平角線からなるセグメントコイルを用いてステータコア１２のティース１６に巻回されるステータ巻線２０を備える。ここで、ステータ巻線２０は、コイルエンド部において、一の前記セグメントコイルのリード部と他のセグメントコイルのリード部とが互いに周方向に沿って平角線の厚さ方向に接合された状態の接合端部４０の角部のうち、隣接する他の接合端部４０側にある角部は、角潰し形状５０，５２を有する。【選択図】図１
2019068565.tif 000002
【特許請求の範囲】
【請求項１】
円環状のバックヨーク、前記バックヨークから内周側に突き出す複数のティース、及び、隣接する前記ティース間の空間である複数のスロットを含むステータコアと、
幅寸法が厚さ寸法よりも大きい平角線からなるセグメントコイルを用いて前記ステータコアの前記ティースに巻回されるステータ巻線と、
を備え、
前記ステータ巻線は、
コイルエンド部において、一の前記セグメントコイルのリード部と他の前記セグメントコイルのリード部とが互いに周方向に沿って前記平角線の厚さ方向に接合された状態の接合端部の角部のうち、隣接する他の接合端部側にある角部は、角潰し形状を有する、回転電機のステータ。
【発明の詳細な説明】
【技術分野】
【０００１】
本開示は、回転電機のステータに係り、特にセグメントコイルを用いたステータ巻線を有する回転電機のステータに関する。
【背景技術】
【０００２】
車両搭載用の回転電機の小型化及び高出力化を図るために、ステータ巻線としてセグメントコイルが用いられる。セグメントコイルは、略Ｕ字状の形状に成形された絶縁皮膜付き導体線で、軸方向両端にステータコアのスロットにそれぞれ挿入される直線部を有する２本の平行な脚部と、脚部の一端同士を接続する折曲げ形状のターン部とを有する。脚部の両端部は絶縁皮膜が剥離されて導体が露出しており、ステータコアの軸方向端面から突出した端部が他のセグメントコイルの端部と溶接等により接合され、この接合端部をステータコアの周方向に沿って順次繰り返して形成し、ステータ巻線が形成される。
【０００３】
特許文献１には、ステータのコイルエンド部において、電気的絶縁性の確保等から、隣接するセグメントコイルの接合端部の間隔を離すために、最内周側溶接部から最外周側溶接部に向かうに従って接合端部の位置を周方向片側に徐々にずらすことが開示されている。
【０００４】
ここでは、ステータコアの端面から突き出した１つのセグメントコイルの一方側の脚部の先端と、他のセグメントコイルの他方側の脚部の先端とを、互いに向い合うように周方向に折り曲げる。そして、向い合った箇所で双方の脚部の導体露出部分をステータコアの端面から離間する方向にそれぞれ軸方向に曲げて向い合せて揃え、その軸方向に揃えた導体露出部分を接合して接合端部を形成する。このように、特許文献１における接合端部は、ステータコアの端面から突き出て軸方向に離間した位置に形成される。
【先行技術文献】
【特許文献】
【０００５】
【特許文献１】特開２０１３−０５５７３２号公報
【発明の概要】
【発明が解決しようとする課題】
【０００６】
特許文献１における接合端部の形成方法によれば、導体が露出している接合端部はセグメントコイルの絶縁皮膜で被覆された部分から周方向に離間している。したがって、コイルエンド部において溶接接合された導体露出部と、これに隣接して配置されるセグメントコイル間の電気的絶縁性の確保が容易である。しかし、接合端部は、ステータコアの端面から軸方向に離間した位置に設けられるので、コイルエンド部が軸方向に長くなり、回転電機の大型化につながる。
【０００７】
接合端部の形成方法として、セグメントコイルの導体露出部分をステータコアの端面から軸方向に延ばさずに周方向に沿って溶接し接合端部とすることが考えられる。この方法によれば、コイルエンド部の軸方向の長さを抑制することができるが、コイルエンド部において、互いに隣接した接合端部の間隔が狭くなり、その間の電気的絶縁性の確保が困難になる。そこで、互いに隣接して接合端部の間の電気的絶縁性を確保し、かつコイルエンド部を小型化できる回転電機のステータが要望される。
【課題を解決するための手段】
【０００８】
本開示に係る回転電機のステータは、円環状のバックヨーク、バックヨークから内周側に突き出す複数のティース、及び、隣接するティース間の空間である複数のスロットを含むステータコアと、幅寸法が厚さ寸法よりも大きい平角線からなるセグメントコイルを用いてステータコアのティースに巻回されるステータ巻線と、を備え、ステータ巻線は、コイルエンド部において、一のセグメントコイルのリード部と他のセグメントコイルのリード部とが互いに周方向に沿って平角線の厚さ方向に接合された状態の接合端部の角部のうち、隣接する他の接合端部側にある角部は、角潰し形状を有する。
【０００９】
上記構成によれば、一のセグメントコイルのリード部と他のセグメントコイルのリード部とは互いに周方向に沿って平角線の厚さ方向に接合されるので、コイルエンドの軸方向寸法を小さく押さえることができる。また、接合端部の角部と、これに隣接する他の接合端部との間隔は、角潰し形状によって角部が潰された分だけ広くなるので、互いに隣接した接合端部の間の電気的絶縁性を確保できる。
【発明の効果】
【００１０】
上記構成の回転電機のステータによれば、互いに隣接した接合端部の間の電気的絶縁性を確保し、かつコイルエンド部が小型になる。
【図面の簡単な説明】
【００１１】
【図１】実施の形態における回転電機のステータのコイルエンド部を示す斜視図である。
【図２】図１で用いられるセグメントコイルの図である。図２（ａ）は全体図であり、（ｂ）は（ａ）のＢ部の断面拡大図である。
【図３】図１のステータ巻線の巻回方法を示す図である。
【図４】図１のＡ部の詳細図である。
【図５】図４の角潰し形状の形成方法の例を示す図である。
【図６】比較例として、特許文献１の接合端部を示す図である。
【発明を実施するための形態】
【００１２】
以下に図面を用いて本発明に係る実施の形態につき、詳細に説明する。以下では、回転電機として、車両搭載用を述べるが、これは、説明のための例示であって、車両搭載以外の用途であっても構わない。
【００１３】
以下で述べる形状、寸法、ステータ巻線の巻数、材質等は、説明のための例示であって、回転電機のステータの仕様に合わせ、適宜変更が可能である。以下では、全ての図面において同様の要素には同一の符号を付し、重複する説明を省略する。
【００１４】
図１は、回転電機のステータ１０の構成について、コイルエンド部を示す図である。以下では、特に断らない限り、回転電機のステータ１０を、ステータ１０と呼ぶ。ステータ１０が用いられる回転電機は、電動車両に搭載する回転電機である。回転電機は、電動車両が力行するときは電動機として機能し、電動車両が制動時にあるときは発電機として機能するモータ・ジェネレータで、三相同期型の回転電機である。回転電機は、図１に示すステータ１０と、ステータ１０の内周側に所定の間隔を隔てて配置されるロータとで構成される。図１ではロータの図示を省略した。ステータ１０は、ステータコア１２と、ステータ巻線２０とを含む。
【００１５】
図１に、軸方向と径方向と周方向とを示す。軸方向は、ステータコア１２の中心穴の中心軸に沿った方向で、ステータ巻線２０において後述する接合端部４０が設けられて動力線リードが引き出される方向がリード側で、その反対側が反リード側である。径方向は、軸方向に垂直な面内で中心軸を通る放射状の方向であり、周方向は、中心軸を中心として円周方向に沿った方向である。
【００１６】
ステータコア１２は、ロータが配置される中心穴を有する磁性体部品で、円環状のバックヨーク１４とバックヨーク１４から内周側に突き出す複数のティース１６とを含む。隣接するティース１６の間の空間はスロット１８である。ティース１６の数とスロット１８の数は同数で、いずれも３の倍数である。
【００１７】
かかるステータコア１２は、バックヨーク１４とティース１６とを含み、スロット１８が形成されるように所定の形状に成形された円環状の磁性体薄板を所定枚数で軸方向に積み重ねた積層体である。磁性体薄板の両面には電気的な絶縁処理が施される。磁性体薄板の材質としては、珪素鋼板の一種である電磁鋼板を用いることができる。磁性体薄板の積層体に代えて、磁性粉末を一体化成形したものをステータコア１２としてもよい。
【００１８】
ステータ巻線２０は、三相の分布巻コイルで、１つの相巻線が複数のティース１６に跨って巻回されて形成される。各相巻線は、それぞれ２周ずつ分布巻されるので、その各周を区別して、Ｕ相巻線の場合はＵ１巻線とＵ２巻線とし、Ｖ相巻線の場合はＶ１巻線とＶ２巻線とし、Ｗ相巻線の場合はＷ１巻線とＷ２巻線と呼ぶ。ステータ巻線２０は、Ｕ１巻線、Ｕ２巻線、Ｖ１巻線、Ｖ２巻線、Ｗ１巻線、Ｗ２巻線を一組として、ステータコア１２の周方向に沿って巻回される。図１において示されているスロット１８には、そこに挿入される各相巻線を小括弧でＶ２，Ｗ１，Ｗ２，Ｕ１と示した。したがって、同じ各相巻線は、６スロット間隔を隔てたスロット１８に順次挿入されてステータコア１２の周方向に一周して巻回される。換言すれば、１つの相巻線は６つのティース１６に跨って巻回されて形成される。
【００１９】
ステータ巻線２０は、ステータコア１２のティース１６に複数のセグメントコイル３０を用いて巻回される。図２は、セグメントコイル３０を示す図である。図２（ａ）は、軸方向と周方向で規定される面を正面としたときの正面図である。
【００２０】
セグメントコイル３０は、断面が矩形形状の平角線を導体素線３８として、両端部を除く導体素線３８の周囲に絶縁皮膜３９を被覆し、所定の形状に成形した絶縁皮膜付き導体線である。絶縁皮膜付き導体線の導体素線３８としては、銅線、銅錫合金線、銀メッキ銅錫合金線等が用いられる。絶縁皮膜３９としては、ポリイミド、ポリアミドイミド、ＰＥＥＫ、ＰＰＳ等が用いられる。
【００２１】
セグメントコイル３０は、略Ｕ字状の形状を有する。図２に示すように、平角線の矩形断面の長辺面側が略Ｕ字状の正面であり、短辺面側が側面である。略Ｕ字状の形状は、短辺面を曲げるエッジワイズ曲げによって形成される。
【００２２】
略Ｕ字状の形状を有するセグメントコイル３０は、軸方向両端にステータコア１２のスロット１８にそれぞれ挿入される直線部を有する２本の平行な脚部３２，３３と、脚部３２，３３の一端同士を接続する折曲げ形状のターン部３４とを有する。平行な２つの脚部３２，３３の間隔は、６スロット分の長さである。１スロット分の間隔をｄｓとすると、平行な２つの脚部３２，３３の間隔Ｄ１は、Ｄ１＝６ｄｓである。脚部３２，３３のそれぞれの先端部は、絶縁皮膜３９が剥離されて導体が露出したリード部３６，３７である。
【００２３】
図２（ｂ）は、セグメントコイル３０において、脚部３２，３３のそれぞれのリード部３６，３７の近傍を除く部分Ｂの矩形断面の拡大図である。部分Ｂにおいては、矩形断面の長辺を幅として、幅寸法Ｗ0と、短辺を厚さとして厚さ寸法ｔとを有する。ここで、Ｗ0＞ｔである。
【００２４】
図２（ａ）に示すように、脚部３２，３３のそれぞれのリード部３６，３７の近傍における幅寸法は、Ｗ0よりも小さくする。これにより、導体素線３８が露出しているリード部３６，３７と、他のセグメントコイル３０の絶縁皮膜３９の間隔を広くでき、その間の電気的絶縁性が向上する。図１に、後述する接合端部４０について、リード部３６，３７近傍の幅寸法をＷ0よりも小さくしたことで広くなった他のセグメントコイル３０の絶縁皮膜３９との間隔ΔＳを示す。幅寸法をＷ0よりも小さくする領域は、導体素線３８が露出するリード部３６，３７の全体と、リード部３６，３７に接続し絶縁皮膜３９で被覆される脚部３２，３３の一部である。幅寸法をＷ0よりも小さくするには、リード部３６，３７の先端に向かって次第に小さくしてもよく、絶縁皮膜３９で被覆される脚部３２，３３の部分に段差を設けてもよい。リード部３６，３７の近傍について、幅寸法をＷ0から小さくする方法は、プレス加工等を用いることができる。
【００２５】
セグメントコイル３０を用いてステータ巻線２０を形成するとき、セグメントコイル３０は、ステータコア１２の周方向に沿ってＤ１＝６ｄｓ離れた２つのスロット１８に２本の平行な脚部３２，３３のそれぞれが挿入される。挿入は、ステータコア１２の反リード側の端面から行われ、リード部３６，３７を含む端部がステータコア１２のリード側の端面から突き出す。突き出たリード部３６，３７は、ステータコア１２のリード側の端面の外側で適当に折り曲げ成形される。図２に、脚部３３について折り曲げた状態を二点鎖線で示す。脚部３２についても曲げ方向が逆であるが同様に曲げられる。曲げられたリード部３６，３７は、それぞれ別のセグメントコイル３０のリード部３７，３６に接合される。リード部３６，３７が折り曲げられて、所定の巻回方法に従って他のセグメントコイル３０のリード部３７，３６と溶接等で接合された部分は、ステータ巻線２０におけるリード側のコイルエンド部となる。ステータコア１２に挿入されたセグメントコイル３０のターン部３４は、ステータコア１２の反リード側にあり、反リード側のコイルエンド部となる。
【００２６】
図３を用いて、セグメントコイル３０を用いたステータ巻線２０の巻回方法を述べる。ここでは、図１にＵ２と示すＵ２巻線の径方向に沿った巻数を３巻として、Ｄ１＝６ｄｓ離れた３つのＵ２巻線用のスロット１８に渡る巻回を示す。図３の紙面の左右方向は周方向で、上下方向は軸方向である。３巻は、径方向に近接して配置されるが、図３では３巻のそれぞれを識別できるように、各巻を紙面の上下方向にずらして示す。図３において、ティース１６とスロット１８を示す線を示す。図３の紙面の上方に、ティース１６とスロット１８の区別を示し、スロット１８には、挿入される各相巻線を区別するＵ１，Ｕ２，Ｖ１，Ｖ２，Ｗ１，Ｗ２の符号を付した。説明のために、各スロット１８にスロット番号として、周方向に沿って上流側から下流側に向かって、Ｓ１からＳ１４を付した。Ｕ２巻線に用いられるスロット番号は、Ｓ２，Ｓ８，Ｓ１４である。Ｕ２巻線に用いられる各セグメントコイル３０にセグメントコイル番号として、ＳＣ１からＳＣ７を付した。
【００２７】
Ｕ２巻線は、ＳＣ１からＳＣ４を用いて、Ｓ２とＳ８に跨って３巻される。まず、Ｓ２よりも上流側に６スロット間隔離れたＵ２巻線用のスロット１８から、ＳＣ１の他方側の脚部３３がステータコア１２の反リード側におけるＳ２に挿入される。ステータコア１２のリード側から突き出たＳＣ１の端部は周方向に沿って下流側に曲げられ、リード部３６は、Ｓ２とＳ８のほぼ中間の位置に来る。これに対応して、ステータコア１２のリード側のＳ２とＳ８に、ＳＣ２の２つの脚部３２，３３がそれぞれ挿入される。ステータコア１２のリード側のＳ８から突き出たＳＣ２の端部は、周方向に沿って上流側に曲げられて、リード部３７がＳ２とＳ８のほぼ中間の位置に来る。このようにして、ＳＣ２のリード部３７はＳＣ１のリード部３６と周方向に沿って平角線の厚さ方向に並び、それぞれの長辺面同士が向い合う。この向い合った長辺面が溶接されて、接合端部４０となる。これで、Ｓ２とＳ８に跨る１巻目が形成される。
【００２８】
ＳＣ２のステータコア１２のリード側のＳ２から突き出た端部は、周方向に沿って下流側に曲げられ、リード部３６がＳ２とＳ８のほぼ中間の位置に来る。これに対応して、ステータコア１２のリード側のＳ２とＳ８に、ＳＣ３の２つの脚部３２，３３がそれぞれ挿入される。ステータコア１２のリード側のＳ８から突き出たＳＣ３の端部は、周方向に沿って上流側に曲げられて、リード部３７がＳ２とＳ８のほぼ中間の位置に来る。このようにして、ＳＣ３のリード部３７はＳＣ２のリード部３６と周方向に沿ってそれぞれの長辺面が向い合い、この向い合った長辺面が溶接されて、接合端部４０となる。これで、Ｓ２とＳ８に跨る２巻目が形成される。
【００２９】
ＳＣ３のステータコア１２のリード側のＳ２から突き出た端部は、周方向に沿って下流側に曲げられ、リード部３６がＳ２とＳ８のほぼ中間の位置に来る。これに対応して、ステータコア１２のリード側のＳ２とＳ８に、ＳＣ４の２つの脚部３２，３３がそれぞれ挿入される。ステータコア１２のリード側のＳ８から突き出たＳＣ４の端部は、周方向に沿って上流側に曲げられて、リード部３７がＳ２とＳ８のほぼ中間の位置に来る。このようにして、ＳＣ４のリード部３７はＳＣ３のリード部３６と周方向に沿ってそれぞれの長辺面が向い合い、この向い合った長辺面が溶接されて、接合端部４０となる。これで、Ｓ２とＳ８に跨る３巻目が形成される。ＳＣ４のステータコア１２のリード側のＳ２から突き出た端部は、渡り線部となって、ステータコア１２のリード側において、Ｓ２からＳ８まで周方向に延びる。
【００３０】
続いて、Ｕ２巻線は、ＳＣ４の渡り線部と、ＳＣ５からＳＣ７を用いて、Ｓ８とＳ１４に跨って３巻される。Ｓ８まで延びてきたＳＣ４の渡り線部は、ステータコア１２のリード側のＳ８に挿入され、反リード側に出て、さらにＳ１４に挿入される。ＳＣ４の渡り部がリード側のＳ１４から突き出た端部は、周方向に上流側に曲げられ、リード部３７となって、Ｓ８とＳ１４のほぼ中間の位置に来る。なお、ＳＣ４の渡り線部は、両端部が共に周方向に沿って上流側に向いて曲げられるので、リード部に付す符号を同じとし、リード部３７とした。ＳＣ４の渡り線部に対応して、ステータコア１２のリード側のＳ８とＳ１４に、ＳＣ５の２つの脚部３２，３３がそれぞれ挿入される。ステータコア１２のリード側のＳ８から突き出たＳＣ５の端部は、周方向に沿って下流側に曲げられて、リード部３６がＳ８とＳ１４のほぼ中間の位置に来る。このようにして、ＳＣ５のリード部３６は、ＳＣ４の渡り線部のリード部３７と周方向に沿ってそれぞれの長辺面が向い合い、この向い合った長辺面が溶接されて、接合端部４０となる。これで、Ｓ８とＳ１４に跨る１巻目が形成される。
【００３１】
以下同様にして、Ｓ８とＳ１４に挿入されたＳＣ６とＳＣ７を用いて、Ｓ８とＳ１４に跨る２巻目と３巻目とが形成される。これをステータコア１２の周方向に沿って繰り返し、１周することで、Ｕ２巻線の全体が形成される。その詳細は、上記で述べた巻回方法と同じであるので、重複する説明を省略する。図３は、分布巻の巻回方法の一例であって、これと異なる巻回方法を用いてもよい。
【００３２】
上記では、Ｕ２巻線について述べたが、Ｕ１巻線、Ｖ１巻線、Ｖ２巻線、Ｗ１巻線、Ｗ２巻線についても同様である。図３のＳ１からＳ８の区間について、Ｕ１巻線、Ｖ１巻線、Ｖ２巻線、Ｗ１巻線、Ｗ２巻線の各相巻線の１巻目の脚部３２を破線で示す。ここに示されるように、各相巻線の脚部３２がステータコア１２のリード側から突き出てそれぞれ下流側に曲げられる部分は、並列的に重なって配置され、それぞれの接合端部４０は、軸方向に同じ位置で周方向に沿って並んで配置される。
【００３３】
図３において一点鎖線の枠で囲んだ領域は、スロット番号でＳ４からＳ７の範囲の部分であるが、この領域が図１の斜視図で示す部分に対応する。図３の一点鎖線の枠で囲まれた領域に対応して、図１においては、Ｕ１巻線の接合端部４０が３つ、Ｕ２巻線の接合端部４０が３つ、Ｖ１巻線の接合端部４０が３つ、Ｖ２巻線の接合端部４０が２つ示される。各接合端部４０は、異なるセグメントコイル３０の導体素線３８が溶接等によって接合された部分であるので、溶接後の接合端部４０においては、各セグメントコイル３０の導体素線３８は一体化し、各導体素線３８を区別して図示できない。以下では、説明の便宜のために、各接合端部４０において、溶接前の各導体素線３８の形状を示す。
【００３４】
接合端部４０は、一のセグメントコイル３０のリード部３６と他のセグメントコイル３０のリード部３７とが、互いに周方向に沿って、断面が矩形形状の平角線の厚さ方向に接合された部分である。図３のＵ２巻線について述べれば、ＳＣ１のリード部３６とＳＣ２のリード部３７とが、互いに周方向に沿って、厚さ方向に接合された状態において、それぞれの導体素線３８が露出している導体露出部が接合端部４０である。接合端部４０において、２つのリード部３６，３７が軸方向に沿ってではなく、周方向に沿って接合されることで、ステータ１０のコイルエンドにおいて軸方向の高さを低くでき、これによってステータ１０が小型になる。
【００３５】
図1に示されるように、複数の接合端部４０は径方向に沿って配置される。各接合端部４０は導体露出部であるので、隣接する接合端部４０の間隔が不十分であると、電気的絶縁性が低下する恐れがある。既に述べた間隔ΔＳは、接合端部４０と他のセグメントコイル３０の絶縁皮膜３９の間隔で、軸方向に沿った電気的絶縁性の向上に貢献する。径方向に沿った電気的絶縁性の向上のためには、接合端部４０の角部のうち、隣接する他の接合端部４０側にある角部を角潰し形状５０，５２とする。
【００３６】
図４は、図１、図３におけるＵ２巻線の３つの接合端部４０について、軸方向のリード側から見た上面図である。ここでは、図３に示すＵ２巻線の１巻目、２巻目、３巻目について、ＳＣ１の脚部３２及びリード部３６と、ＳＣ２の脚部３３及びリード部３７を示す。隣接する接合端部４０に関する説明として、Ｕ２巻線の２巻目について述べる。
【００３７】
Ｕ２巻線の２巻目において、ＳＣ１のリード部３６の角部のうち、これに向かい合って隣接する接合端部４０は、Ｕ２巻線の１巻目の接合端部４０である。そこで、Ｕ２巻線の２巻目のＳＣ１のリード部３６の２つの角部のうち、接合面側の角部でない角部として、Ｕ２巻線の１巻目の接合端部４０側にある角部の形状は、角潰し形状５０とする。
【００３８】
同様に、Ｕ２巻線の２巻目において、ＳＣ２のリード部３７の角部のうち、これに向かい合って隣接する接合端部４０は、Ｕ２巻線の３巻目の接合端部４０である。そこで、Ｕ２巻線の２巻目のＳＣ２のリード部３７の２つの角部のうち、接合面側の角部でない角部として、Ｕ２巻線の３巻目の接合端部４０側にある角部の形状は、角潰し形状５２とする。角潰し形状５２は、接合端部４０の軸方向に沿って形成される。角潰し形状５０，５２としては、適当な丸みを有する丸み形状、あるいは、適当な範囲で面取りされた面取り形状を用いることができる。
【００３９】
上記のように、一のセグメントコイル３０のリード部３６と他のセグメントコイル３０のリード部３７とが互いに周方向に沿って平角線の厚さ方向に接合された状態の接合端部４０の角部のうち、隣接する他の接合端部４０側にある角部は、角潰し形状を有する。これによって、一の接合端部４０の角部と、これに隣接する他の接合端部４０との間隔は、角潰し形状５０，５２によって角部が潰された分だけ広くなるので、互いに隣接した接合端部４０の間の電気的絶縁性を確保できる。
【００４０】
図５は、角潰し形状５０，５２として、面取り形状の形成方法の例を示す図である。図５の各図は、図４と同様に、軸方向のリード側から見た上面図である。角潰し形状５０，５２の形成方法は、異なるセグメントコイル３０において、加工方向のみが異なる。また、角潰し形状５０と角潰し形状５２とにおいても、加工方向が異なるのみである。また、角潰し形状５０，５２としての丸み形状と面取り形状とにおいても、その形成は、主として加工方向が異なるのみである。そこで、ＳＣ１のリード部３６における角潰し形状５０としての面取り形状に代表させて、図５（ａ）〜（ｃ）にその角潰し形状５０の形成方法を示す。
【００４１】
図５（ａ）は、初期状態で、ＳＣ１の脚部３２は、コイル固定治具５６を用いてしっかり固定される。リード部３６は、角潰し形状５０が形成されていない状態である。コイル固定治具５６に対し、コイル先端曲げ治具５８が配置され、矢印の方向に移動駆動される。コイル先端曲げ治具５８の加工面５９は、リード部３６の軸方向に対し、所定の角度θで傾斜して配置される。所定の角度θは、角潰し形状５０の面取り角度に設定される。
【００４２】
（ｂ）は、角潰し工程を示す図である。ここでは、コイル先端曲げ治具５８の加工面５９をリード部３６の角部に当て、白抜矢印で示す適当な押潰し力を印加して、リード部３６の角部を角度θで面取り潰しを行う。これにより、リード部３６の角部に角潰し形状５０が形成される。コイル先端曲げ治具５８に印加される押潰し力を受け止めるため、必要に応じ、リード部３６において角潰しが行われる面の反対側の接合面を適当な固定手段で固定してもよい。
【００４３】
（ｃ）は、角潰しが行われたリード部３６を、接合が行われる相手側のリード部３７の接合面側へ押し曲げる工程である。コイル先端曲げ治具５８は、角度θで傾斜させた状態のままで白抜矢印の方向に移動駆動される。これによって、面取り加工された角潰し形状５０を有するリード部３６の接合面が、相手側のリード部３７の接合面と適切に向かい合い、その後、接合が行われ、接合端部４０が形成される。
【００４４】
図６は、上記構成の作用効果を比較するために、特許文献１の例を示す。特許文献１におけるステータ巻線６０でも、セグメントコイル６２，６３のそれぞれのリード部は接合端部６４を形成する。接合端部６４は、一のセグメントコイル６２のリード部と、他のセグメントコイル６３のリード部とが、互いに軸方向に沿って平角線の厚さ方向に接合されて、導体露出部となる。図６に示されるように、接合端部６４は、セグメントコイル６２，６３の絶縁皮膜３９で被覆された部分と、周方向に沿って離れた位置に配置されるので、例えば、図示しないが周方向に沿って一のセグメントコイル６２に近接して延びる別のセグメントコイルとの間の距離が十分に確保される。したがって、図６の例では、電気的絶縁性を十分に確保できるが、一方で、コイルエンド部の軸方向が長くなり、ステータ１０の小型化が困難である。
【００４５】
これに対し、図1から図５で述べた構成のステータ１０は、一のセグメントコイル（ＳＣ１）３０のリード部３６と、他のセグメントコイル（ＳＣ２）３０のリード部３７とが、互いに周方向に沿って厚さ方向に接合されるので、コイルエンド部が小型となる。また、接合端部４０の角部と、これに隣接する他の接合端部４０との間隔は、角潰し形状５０，５２によって角部が潰された分だけ広くなるので、互いに隣接した接合端部４０の間の電気的絶縁性を確保できる。さらに、隣接する接合端部４０の間隔が広くなるので、絶縁性樹脂あるいは絶縁性樹脂粉体が入り易くなるので、絶縁性樹脂による電気的絶縁性も向上する。
【符号の説明】
【００４６】
１０  （回転電機の）ステータ、１２  ステータコア、１４  バックヨーク、１６  ティース、１８  スロット、２０，６０  ステータ巻線、３０，６２，６３  セグメントコイル、３２，３３  脚部、３４  ターン部、３６，３７  リード部、３８  導体素線、３９  絶縁皮膜、４０，６４  接合端部（導体露出部）、５０，５２  角潰し形状，５６  コイル固定治具，５８  コイル先端曲げ治具、５９  加工面。
【図１】
2019068565.tif 000003
【図２】
2019068565.tif 000004
【図３】
2019068565.tif 000005
【図４】
2019068565.tif 000006
【図５】
2019068565.tif 000007
【図６】
2019068565.tif 000008